(57)【要約】【課題】  文書を複写したときに複写データをアーカイブするシステムにおいて、以前に複写されたものと同一原稿と思われるものであっても、複写される毎にそれらのデータをそのままアーカイブすると大量の記憶容量が必要となる。【解決手段】  印刷時に識別データを原稿と一緒に印字し、スキャン時には画像データと識別データを読み出し、識別データがある場合には、識別データにより同一原稿の関連情報を引き出し、画像の差分情報と関連情報をアーカイブする。関連情報とは画像情報ではなく、ジョブを識別できるものであれば良い。【選択図】  図１
2009071770.tif 000002
【特許請求の範囲】
【請求項１】
画像データを取得する画像データ取得手段と、
画像データを識別する識別データを取得する識別データ取得手段と
取得された前記画像データと同一の関連画像データが、将来の追跡調査のために所定の記憶装置に記憶されているか識別データにより判定する判定手段と、
前記関連画像データが記憶されていた場合には、取得された前記画像データを前記所定の記憶装置に書き込む代わりに関連データを前記所定の記憶装置に書き込み、一方、該関連画像データが記憶されてない場合には、取得された前記画像データを前記所定の記憶装置に書き込む書き込み手段とを含む印刷システム。
【請求項２】
識別データが同一である場合でも、差分画像を取得する差分画像取得手段と、
差分画像画があるかを判断する判断手段とを含む、請求項１に記載の印刷システム。
【請求項３】
ジョブの実行時に識別データを印字する印字手段とを含む、請求項１に記載の印刷システム。
【発明の詳細な説明】
【技術分野】
【０００１】
この発明は、履歴管理、特に画像処理装置において入力および出力される画像データを効率良く管理する画像処理装置に関するものである。
【背景技術】
【０００２】
画像処理装置の普及に従って、誰でも原稿の複写や送信を容易に行なうことが可能となっている。これは、利便性の向上をユーザにもたらしたが、機密原稿などの複写や送信といった情報漏洩の可能性が高まることにもなった。
【０００３】
この問題への対策として、ユーザのＩＤに加え、複写または送信される画像データのすべてを記憶装置に蓄積する画像処理装置が提案されている（特許文献１）。これにより、情報漏洩した原稿が、どのユーザにより複写または送信されたものであるかを追跡できるようになる。
【特許文献１】特表平１０−５０３９０１号公報
【発明の開示】
【発明が解決しようとする課題】
【０００４】
しかしながら、上述の画像処理装置では、入出力される画像データをすべて記憶装置に蓄積する構成であるため、記憶装置が満杯になりやすい。一方で、同一の画像データが重複して記憶装置に記憶されていることもよくある。この場合は、記憶装置の記憶容量が特に無駄に消費されやすい。
【０００５】
そこで、本発明は、このような課題を解決することを目的とする。
【課題を解決するための手段】
【０００６】
上記課題を解決すべく、画像データを取得する画像データ取得手段と、画像データを識別する識別データを取得する識別データ取得手段と、取得された前記画像データと同一の関連画像データが、将来の追跡調査のために所定の記憶装置に記憶されているか識別データにより判定する判定手段と、前記関連画像データが記憶されていた場合には、取得された前記画像データを前記所定の記憶装置に書き込む代わりに関連データを前記所定の記憶装置に書き込み、一方、該関連画像データが記憶されてない場合には、取得された前記画像データを前記所定の記憶装置に書き込む書き込み手段とを含む印刷システムを提供する。
【発明の効果】
【０００７】
本発明によれば、将来のセキュリティ追跡調査のために、所定の記憶装置に実質的に同一の画像データが保存されている場合は、当該画像データを少なくとも１つだけ残しておき、それ以外は、データサイズが相対的に小さくなるリンク情報へと置換して記憶するようにしたので、従来よりも記憶装置を有効に活用できる。
【発明を実施するための最良の形態】
【０００８】
次に、本発明の詳細を実施例の記述に従って説明する。
【実施例１】
【０００９】
図１は、本実施形態に係る画像処理システムの例示的な構成図である。複合機１０１は、原稿の読み取り処理、複写処理、または印刷処理を実行したり、さまざまな装置に画像データを送信したり、さまざまな装置から画像データを受信する画像処理装置である。画像データをファイル化、複写処理または送信処理するための原稿読み取り処理、プリントジョブを受信してラスタライズして画像データを作成する処理、画像データを受信する処理、および、記憶装置から画像データを読み出す処理のいずれもが、画像データを取得する処理の一例である。
【００１０】
データベース／メールサーバ１０３は、複合機１０１により取得されたデータを格納するコンピュータであり、その上で格納処理を実行するサーバプログラムが動作している。クライアントコンピュータ１０４は、データベースサーバ／メールサーバ１０３に接続し、格納されているデータをダウンロードして表示するコンピュータである。また、クライアントコンピュータ１０４は、任意のデータについてのプリントジョブを複合機１０１や不図示のプリンタ等に送信することもできる。
【００１１】
ストレージサーバ１０５は、複合機１０１が入出力した全ての画像データを蓄積するセキュリティ追跡調査用の記憶装置である。なお、各複合機１０１のそれぞれに、セキュリティ追跡調査用のローカルな記憶装置が備えられていてもよい。その場合は、任意のタイミングで、ローカルな記憶装置からストレージサーバ１０５へと追跡調査用の画像データを転送することになる。
【００１２】
履歴管理サーバ１０６は、複合機１０１における複写や送信などの作業ジョブの履歴レコードを記録する履歴管理サーバである。すなわち、画像データと、作業装置および作業者などの情報を含む履歴情報を蓄積することで、将来におけるセキュリティ追跡調査を実現できる。
【００１３】
チェイシングサーバ１０９は、ストレージサーバ１０５や履歴サーバ１０６のデータを吸い上げてまとめるサーバである。複数の複合機１０１、ストレージサーバ１０５、および履歴サーバ１０６が存在する環境下において、チェイシングサーバ１０９を配置することにより、セキュリティ追跡調査用の管理のデータを一元的に管理することが可能となる。
【００１４】
イーサネット（登録商標）１０７は、複合機１０１、データベース／メールサーバ１０３、クライアントコンピュータ１０４、ストレージサーバ１０５、履歴管理サーバ１０６、チェイシングサーバ１０９が接続されるネットワークである。もちろん他の通信媒体により各装置を接続してもよい。
【００１５】
複合機１１０には、複合機１０１の基本的な機能に加え、ストレージサーバ１０５や履歴管理サーバ１０６と同等の機能が組み込まれている。すなわち、複合機１１０が入出力した全ての画像データを蓄積する監査用の記憶装置を有し、複合機１１０における複写や送信ジョブの履歴を記憶する記憶装置を有している。
【００１６】
クライアントコンピュータ１１１は、複合機１１０に接続し、プリント出力指示やＩＦＡＸ（インターネットＦＡＸ）の送信指示を行なう。イーサネット（登録商標）１１２は、複合機１１０、クライアントコンピュータ１１１が接続されるネットワークである。ファクシミリ１０２は、複合機１１０により取得された画像データを、公衆回線１０８を介して受信してプリントするファクシミリ装置である。また、ファクシミリ１０２は、公衆回線１０８を介して複合機１１０に画像データを送信することも可能である。イーサネット（登録商標）１０７とイーサネット（登録商標）１１２は、ＷＡＮ１２０（ＷｉｄｅＡｒｅａ Ｎｅｔｗｏｒｋ：広域通信網）を介して接続されている。
【００１７】
図２は、本実施形態に係る画像処理システムの基本機能を説明するためのブロック図である。図３は、本実施形態に係る画像処理方法の基本的なフローチャートである。これらは本発明の基本概念を例示するものであり、上述の画像処理システムの全体、またはシステムの一部の装置らによって実現される。
【００１８】
取得部２０１は、画像データを取得し、あらかじめ印刷時に印字された識別情報を取得する機能部であり、単体のスキャナ装置、複合機１０１等に搭載される画像読み取り装置、プリンタや複合機１１０などに搭載される画像データの受信装置、予め記憶されている画像データを送信するために読み出す読み出し装置などに相当する。
【００１９】
記憶装置２０２は、セキュリティ追跡調査のための画像データを記憶する装置であり、上述のストレージサーバ１０５や、複合機１１０内の記憶装置に相当する。
【００２０】
判定部２０３は、取得部２０１により取得された識別データにより同一とみなせる画像データ（関連画像データと称す。）記憶装置２０２に記憶されているかを判定する。判定部２０３は、チェイシングサーバ１０９、複合機１０１または複合機１１０などに搭載される。
【００２１】
書き込み部２０４は、関連画像データが記憶されていると判定された場合に、取得画像データを記憶装置２０２に、関連画像データの識別情報と関連画像データとの差分情報を記憶装置２０２へと書き込む。一方、関連画像データが記憶されてないと判定された場合には、取得画像データを記憶装置２０２に書き込む。実質的に同一の画像データについては、関連情報を記憶することで、重複記憶の恐れを低減できるようになる。
【００２２】
フローチャートについて説明すると、ステップＳ３０１において、取得部２０１が画像データと識別情報を取得する。ステップＳ３０２において、判定部２０３は、取得画像データに対する関連画像データを記憶装置２０２から検索抽出する。ステップＳ３０３において、判定部２０３は、関連画像データが記憶されていたかどうかを判定する。すなわち、識別情報の検索によって同一な関連画像データが抽出されたかどうかを判定する。関連画像データが記憶されてない場合には、ステップＳ３０５に進み、書き込み部２０４は、取得画像データを記憶装置２０２に書き込む。一方、関連画像データが抽出された場合は、ステップＳ３０４に進み、画像データどうしの差分評価を行う。ステップＳ３０６において、差分データがあるかを判定する。差分データがある場合には、ステップＳ３０７へ進み、取得画像データを記憶装置２０２に記憶する代わりに、書き込み部２０４は、差分データを記憶装置２０２に書き込み、さらにステップＳ３０８へ進み、関連情報を記憶装置２０２に記憶する。一方、差分データがない場合には、ステップＳ３０８へ進み関連情報を記憶装置２０２に書き込む。
【００２３】
以上のようにして、画像処理システム内で入力または出力される画像データについてセキュリティ追跡調査を実現できるだけでなく、記憶装置の記憶容量を従来よりも有効に活用できるようになる。
【００２４】
上述の基本的な技術思想は、たとえば、（１）複合機１１０など単独の装置において実現してもよいし、（２）複合機１０１と複合機１１０など複数の装置により協働して実現してもよいし、（３）ネットワーク上のチェイシングサーバ１０９などを利用するシステムとして実現してもよい。
【００２５】
次に、任意のジョブの実行から履歴レコードの記憶までについて説明する。
【００２６】
図４は、本実施形態に係る複合機の例示的なブロック図である。制御ユニット４００は、画像入力デバイスであるスキャナ４７０や画像出力デバイスであるプリンタ４９０と接続する一方で、ＬＡＮ４１１や公衆回線（ＷＡＮ）４１２と接続することで、画像情報やデバイス情報の入出力を行なう。ＣＰＵ４０１は、システム全体を制御するコントローラである。ＲＡＭ４０２は、ＣＰＵ４０１が動作するためのシステムワークメモリであり、画像データを一時的に記憶するための画像メモリとしても機能する。ＲＯＭ４０３はブートＲＯＭであり、システムのブートプログラムが格納されている。ハードディスクドライブ（ＨＤＤ）４０４は、システムの制御プログラムやセキュリティ追跡調査用の画像データなどを記憶する記憶装置である。
【００２７】
操作部Ｉ／Ｆ４０６は、タッチパネルと表示装置とを有した操作部（ＵＩ）４０７を接続し、表示用の画像データを操作部４０７に出力したり、タッチパネルからの入力信号をＣＰＵ４０１に伝達したりするインターフェース回路である。ネットワークＩ／Ｆ４０８は、ＬＡＮ４１１に接続し、情報の入出力を行なう通信回路である。モデム４０９は、公衆回線（ＷＡＮ）４１２に接続し、情報の入出力を行なう通信回路である。以上のデバイスがシステムバス４１０に配置される。
【００２８】
イメージバスＩ／Ｆ４１３は、画像データを高速で転送する画像バス４１４をシステムバス４１０と接続し、データ構造を変換するバスブリッジ回路である。画像バス４１４は、たとえば、ＰＣＩバスまたはＩＥＥＥ１３９４などで構成される。
【００２９】
画像バス４１４には以下のデバイスが配置される。ラスターイメージプロセッサ（ＲＩＰ）４１５は、ＰＤＬ（ページ記述言語）コードをビットマップイメージに展開する画像処理回路である。デバイスＩ／Ｆ部４１６は、画像入出力デバイスであるスキャナ４７０やプリンタ４９０を制御ユニット４００に接続し、画像データの同期系／非同期系の変換処理を実行するインターフェース回路である。スキャナ画像処理部４１７は、入力画像データに対し補正、加工、編集等の画像処理を実行する画像処理回路である。プリンタ画像処理部４１８は、プリント出力画像データに対して、プリンタの補正、解像度変換等を行なう画像処理回路である。画像回転部４１９は、画像データの回転処理を実行する画像処理回路である。画像圧縮部４２０は、多値画像データについてＪＰＥＧ、２値画像データについてＪＢＩＧ、ＭＭＲ、ＭＨの圧縮伸張処理を実行する符号処理回路である。ＩＣカードスロット４０５は、暗号処理に使用される情報を記憶するＩＣカードメディアを接続する接続回路である。たとえば、操作部４０７から適切なＰＩＮ（個人識別番号）コードが入力されると、ＩＣカードメディアは、暗号・復号に用いる鍵を出力する。暗号・復号処理部４２１は、ＩＣカードスロット４０５から出力される鍵を用いてデータの暗号化・複合化処理を行なうハードウェアアクセラレータボードである。ＯＣＲ・ＯＭＲ処理部４２２は、画像データに含まれる文字情報や２次元バーコードを解読して文字コード化する画像処理回路である。
【００３０】
図５は、本実施形態に係る画像データや履歴情報等の記憶処理を説明する図である。この図によれば、複合機１０１からストレージサーバ１０５へと画像データを格納する際に、ＨＴＴＰ（Ｈｙｐｅｒ Ｔｅｘｔ Ｔｒａｎｓｆｅｒ Ｐｒｏｔｏｃｏｌ）、ＦＴＰ（Ｆｉｌｅ Ｔｒａｎｓｆｅｒ Ｐｒｏｔｏｃｏｌ）、ＳＭＢ（Ｓｅｒｖｅｒ Ｍｅｓｓａｇｅ Ｂｌｏｃｋ）を利用しているが、本発明は、これらの通信プロトコルに限定されることはない。画像データ等転送できるプロトコルであれば如何なる転送プロトコルをも使用でき、必要に応じて暗号処理を施してもよい。
【００３１】
また、複合機１０１から履歴管理サーバ１０６への履歴情報の書き込みはｓｙｓｌｏｇを利用しているが、他のロギングプロトコルを採用してもよい。また、図１によれば、複合機１０１、ストレージサーバ１０５、履歴管理サーバ１０６が別体の構成となっているが、いずれか、または全てを一体化した構成としてもよい。これらストレージサーバ１０５、履歴管理サーバ１０６へアクセスするために必要な設定情報は、複合機１０１のシステム管理者のみが設定可能なように保護されていることが望ましい。
【００３２】
図６は、本実施形態に係る追跡調査用の画像データ及び履歴レコードの記憶処理を示すフローチャートである。すなわち、取得された画像データのすべて（一部をリンク情報に変換することもある。）を所定のストレージデバイスに格納し、そのＵＲＩと画像データに含まれるテキストデータを履歴レコードに記録する処理をこのフローチャートを用いて説明する。本フローチャートは、たとえば、複合機１０１において、原稿がスキャナ４７０の自動原稿送り装置または原稿台に載置され、コピーや送信など所望の目的に応じて部数設定や送信宛先設定などが操作部４０７を通じて実行されると、開始される。
【００３３】
ステップＳ６０１において、ＣＰＵ４０１は、図３で用いたサブルーチンを実行する。たとえば、ＣＰＵ４０１は、スキャナ４７０により原稿が読み取られ、スキャナ画像処理部４１７により生成された画像データをページごとにＨＤＤ４０４へと記憶する（Ｓ３０１）。ＣＰＵ４０１は、ＨＤＤ４０４に記憶された画像データを読み出し、関連画像データを検索し（Ｓ３０２）、関連画像データが存在するか否かを判定する（Ｓ３０２）。存在すれば、ＣＰＵ４０１は、関連画像データのＵＲＩを、ネットワークＩ／Ｆ４０８を介して所定のストレージサーバ１０５へと格納する（Ｓ３０４）。一方、存在しなければ、ＣＰＵ４０１は、取得した画像データをネットワークＩ／Ｆ４０８を介して所定のストレージサーバ１０５へと格納する（Ｓ３０５）。
【００３４】
ストレージサーバ１０５への格納処理は、複数ページを個別に格納する形態でも、複数ページを一つの文書に結合してから格納する形態のいずれであってもよい。なお、画像データまたはリンク情報（ＵＲＩなど）の格納の際に、ＣＰＵ４０１は、画像データのＵＲＩをＲＡＭ４０２に記憶する。このＵＲＩは、ストレージサーバ１０５のＵＲＬと、画像データのファイル名などからＣＰＵ４０１が作成する。
【００３５】
ステップＳ６０３において、ＣＰＵ４０１は、格納処理が成功したか否かを判定する。失敗であればＳ６２０に進み、ＣＰＵ４０１は、異常が発生した旨を操作部４０７に表示させ、本フローチャートに係る処理を終了する。一方、成功であればＳ６０４に進む。
【００３６】
ステップＳ６０４において、ＣＰＵ４０１は、実行ジョブのジョブ種別を履歴レコードに設定し、ＲＡＭ４０２に記憶する。本実施形態においてジョブ種別とは、コピージョブ、ファクス送信／受信ジョブ、スキャンジョブ、プリントジョブなど、機能種別を表すものとする。
【００３７】
ステップＳ６０５において、ＣＰＵ４０１は、複合機１０１の設定情報を読み出し、ユーザ認証ありと設定されているかを判定する。この設定情報は、予めＲＯＭ４０３またはハードディスクドライブ４０４に記憶されているものとする。ユーザ認証ありと判定した場合にはＳ６０６へ進み、ＣＰＵ４０１は、操作部４０７などから入力されたユーザ情報（例えばユーザ名やユーザＩＤなど）を履歴レコードに設定し、ＲＡＭ４０２に記憶する。一方、ユーザ認証なしと判定した場合には、そのままＳ６０７に進む。
【００３８】
ステップＳ６０７において、ＣＰＵ４０１は、Ｓ６０２でストレージサーバ１０５に格納された画像データのＵＲＩ（Ｕｎｉｆｏｒｍ Ｒｅｓｏｕｒｃｅ Ｉｄｅｎｔｉｆｉｅｒｓ）をＲＡＭ４０２から読み出し、履歴レコードに設定する。
【００３９】
ステップＳ６０８において、ＣＰＵ４０１は、ＨＤＤ４０４に記憶された画像データに対してＯＣＲ／ＯＭＲ処理２１１１を用いてテキストデータを抽出する。なお、当業者であれば明らかに理解できるように、本ステップは、ステップＳ６０１に次に実行されてもよい。
【００４０】
ステップＳ６０９において、ＣＰＵ４０１は、抽出されたテキストデータを履歴レコードに設定し、Ｓ６１０において、当該履歴レコードを所定の履歴管理サーバ１０６に書き込む。
【００４１】
ステップＳ６１１において、ＣＰＵ４０１は、履歴レコードの格納処理が成功したか否かを判定する。成功であればＳ６１２に進み、ＣＰＵ４０１は、予め操作部４０７を通じてユーザにより指定されたジョブを実行する。この際にジョブの識別情報となるジョブＩＤを電子透かし等で印字し、本フローチャートに係る処理を終了する。一方、失敗であればＳ６１３に進み、ＣＰＵ４０１は、ステップＳ６０２において格納した画像データを削除し、Ｓ６２０へ進み、異常が発生した旨を操作部４０７に表示し、ジョブ実行を終了する。
【００４２】
ここでは、スキャナ４７０により読み取った画像データを格納する例を説明しているが、本発明がこれに限定されることはない。プリント出力についても、出力画像データをストレージサーバ１０５へと格納することにより同様に管理できる。
【００４３】
図７は、本実施形態に係る履歴管理サーバに記録されている履歴ファイルの一例を示す図である。履歴管理サーバ１０６は、複合機１０１等からジョブ単位で送信される履歴レコードを受信して履歴ファイル７００に格納する。この例では、履歴管理サーバ１０６は、１ジョブごとに１レコードを生成して履歴ファイル７００に登録している。履歴ファイル７００は、履歴管理サーバ１０６の記憶装置に一定期間保持され、セキュリティ追跡調査に利用できる。
【００４４】
図８は、本実施形態に係る履歴レコードの各エントリ内容の一例を示す図である。履歴レコード８００には、次のようなフィールド（エントリと呼ばれることもある。）が設けられている。ＩＤフィールド８０１には、実施した画像の識別情報が格納される。日時フィールド８０２には、履歴レコードの書き込みが発生した日時のデータが格納される。デバイスアドレスフィールド８０３には、ジョブを実行したデバイスのＩＰアドレスまたはホスト名が格納される。プログラム名フィールド８０４には、履歴書き込みを行ったプログラム名が格納される。ジョブ種フィールド８０５には、コピー、ファクス、スキャン、プリントなどのジョブの機能種別に関する情報が格納される。ユーザ名フィールド８０６には、ジョブを実行したユーザを識別可能な文字列や数値などから構成されるユーザ名またはユーザＩＤが格納される。経路フィールド８０７には、画像データの入力経路を示す情報が格納される。たとえば、ファックスの場合は電話番号、プリントの場合は出力を指示したホスト名やホストのＩＰアドレスなどが格納される。画像データ格納ＵＲＩのフィールド８０８には、追跡対象の画像データが格納されている場所を示すＵＲＩが格納される。基ジョブＩＤフィールド８０８には、既に格納されていた画像がある場合の基画像を示すＩＤが格納される。このＵＲＩと基ジョブＩＤにアクセスすることにより、画像データをダウンロードして表示することが可能となる。関連ジョブＩＤフィールド８０９には、他のジョブで関連情報として使用された場合のジョブＩＤを格納する。テキストデータのフィールド８１０には、ＯＣＲ／ＯＭＲ部４２２により画像データから抽出されたテキストデータが格納される。
【００４５】
さらに次いで、図９は、本発明での履歴レコード８００の更新を示す。
【００４６】
履歴コード９０１のファックス受信ジョブによる印刷結果のコピーを行った際の履歴コード９０２では、画像データが同一であるため、差分データが発生しないので、画像データ格納ＵＲＩには何も格納されない。代わりに基ジョブＩＤには、ファックス受信ジョブのＩＤが格納され、ファックス受信ジョブには関連ジョブＩＤが格納される。さらに、コピーを行った画像に書き込みを行ったものをコピーした際の履歴コード９０３では、書き込みデータが差分データとして、画像データ格納ＵＲＩに格納され、基ジョブＩＤも格納される。さらに、基ジョブの履歴には、関連ジョブＩＤが格納される。
【００４７】
以上のように、本実施形態によれば、画像データをストレージサーバ１０５に保存する一方で、履歴レコードを履歴管理サーバ１０６に保存することで、将来において画像データの追跡調査を容易に実行できる。しかも、重複する画像データについて識別情報に置換されるため、記憶装置を有効に活用できる。
【００４８】
ここで、ストレージサーバ１０５に記憶される画像データのフォーマットには、既存のフォーマットを採用してもよいし、独自フォーマットを採用してもよい。
【図面の簡単な説明】
【００４９】
【図１】本実施形態に係る画像処理システムの例示的な構成図である。
【図２】本実施形態に係る画像処理システムの基本機能を説明するためのブロック図である。
【図３】本実施形態に係る画像処理方法の基本的なフローチャートである。
【図４】本実施形態に係る複合機の例示的なブロック図である。
【図５】本実施形態に係る画像データや履歴情報等の記憶処理を説明する図である。
【図６】本実施形態に係る追跡調査用画像データおよび履歴レコードの記憶処理を示すフローチャートである。
【図７】本実施形態に係る履歴管理サーバに記録されている履歴ファイルの一例を示す図である。
【図８】本実施形態に係る履歴レコードの各エントリ内容の一例を示す図である。
【図９】実施形態に係る履歴レコードの更新の一例を示す図である。
【符号の説明】
【００５０】
１０１  複合機
１０２  ファクシミリ
１０３  データベース／メールサーバ
１０４  クライアントコンピュータ
１０５  ストレージサーバ
１０６  履歴管理サーバ
１０７  イーサネット（登録商標）
１０８  公衆回線
１０９  チェイシングサーバ
１１０  複合機
１１１  クライアントコンピュータ
１２０  ＷＡＮ
【図１】
2009071770.tif 000003
【図２】
2009071770.tif 000004
【図３】
2009071770.tif 000005
【図４】
2009071770.tif 000006
【図５】
2009071770.tif 000007
【図６】
2009071770.tif 000008
【図７】
2009071770.tif 000009
【図８】
2009071770.tif 000010
【図９】
2009071770.tif 000011